【事件の表示】
　特願２００８−５５１４００「ルミファー膜を空間的に分離することにより固体光発光素子におけるスペクトル内容をシフトすること」拒絶査定不服審判事件〔平成１９年　７月２６日国際公開、ＷＯ２００７／０８４６４０、平成２１年　６月２５日国内公表、特表２００９−５２４２４７〕について、次のとおり審決する。
【結　論】
　本件審判の請求は、成り立たない。
【理　由】
１　手続の経緯
　平成１９年　１月１９日　国際特許出願（パリ条約による優先権主張　外　　　　　　　　　　　　　国庁受理　平成１８年１月２０日、平成１８年　　　　　　　　　　　　　１月２３日、平成１８年４月２４日　何れも米　　　　　　　　　　　　　国）
　平成２０年　９月２５日　手続補正書
　平成２３年　７月２８日　拒絶理由通知（同年８月１日発送）
　平成２３年１１月　１日　意見書・手続補正書
　平成２４年　６月２０日　拒絶理由通知（最後　同年６月２２日発送）
　平成２４年１２月１２日　意見書・手続補正書
　平成２５年　７月　３日　拒絶理由通知（最後　同年７月５日発送）
　平成２５年１２月２５日　意見書・手続補正書
　平成２６年　６月１１日　補正の却下の決定（平成２５年１２月２５日付　　　　　　　　　　　　　け手続補正）
　　　　　　　　　　　　　拒絶査定（同年６月１７日送達）
　平成２６年１０月１０日　審判請求書・誤訳訂正書
　平成２７年　４月　３日　上申書
　平成２７年　５月１８日　拒絶理由通知（同年５月１９日発送）
　平成２７年　９月　２日　意見書・手続補正書
　平成２８年　１月　４日　拒絶理由通知（同年１月５日発送
　　　　　　　　　　　　　以下「当審拒絶理由通知」という。）
　平成２８年　６月３０日　意見書・手続補正書
　
２　本願発明
　本願の請求項に係る発明は、平成２８年６月３０日付け手続補正により補正された請求項１乃至１７に記載された事項により特定されるとおりのものであるところ、請求項１は以下のとおりである（当審注：下線は、請求人が補正箇所に付したものである。）。
「照明装置であって、
　少なくとも１つの第１の固体発光素子と、
　少なくとも１つの蛍光体が分散されている少なくとも１つのバインダーを備えている少なくとも１つの第１のルミファーと、
　少なくとも１つの第２のルミファーと、
　透明性要素と、及び
　反射性カップと、
　を備え、
　第１の固体発光素子と第２のルミファーとの間に第１のルミファーの少なくとも一部分が存在し、第１及び第２のルミファーは離間しており、前記第２のルミファーは湾曲面を有し、第１のルミファー上の各位置は第１の平面の第１の側又は第１の平面内にあり、第２のルミファー上の各位置は第１の平面の第２の側または第１の平面内にあり、
　第１の固体発光素子、第１のルミファー、反射性カップは透明性要素の内部にあり、
　反射性カップの周辺端上の各位置は第１の平面内にあり、
　反射性カップは空間を画定し、
　第１の固体発光素子は前記空間内にあり、
　第１の固体発光素子の全体は第１の平面の第１の側にあり、
　反射性カップ上の各位置は第１の平面の第１の側又は第１の平面内にあり、
　第１の平面の上に位置する透明性要素の外部表面の全体は第２のルミファーにより完全に覆われており、
第１平面の第１の側にある
いかなる部分も
　
３　当審拒絶理由通知
　当審拒絶理由通知で通知した拒絶理由の概要は、本件出願の特許請求の範囲の請求項に係る発明は、その最先の優先日前に日本国内において頒布された刊行物である特開２００５−８８４４号公報（以下「刊行物」という。）に記載された発明と周知の技術手段に基いて、その最先の優先日前にその発明の属する技術の分野における通常の知識を有する者が容易に発明をすることができたものであるから、特許法第２９条第２項の規定により特許を受けることができない、というものである。
　
４　引用発明
（１）刊行物の記載事項
　刊行物には、図と共に、以下の記載がある。
ア　「【００３１】
（発光装置）
　本発明の発光装置はＬＥＤや高圧水銀ランプなどの発光装置であるが、ここではＬＥＤ発光装置について説明する。この発光装置は、本発明の蛍光体又は本発明の蛍光体を含む混合蛍光体と、３００ｎｍから５５０ｎｍの波長域に発光する半導体発光素子を組み合わせてなる発光装置であって、半導体発光素子としてはＺｎＳｅやＧａＮなど種々の半導体が挙げられるが、窒化ガリウム系半導体が好ましく用いられる。
本発明のＬＥＤ発光装置の一例として、図９に砲弾型の発光装置
を
示し、こ
の図を用いて説明する
【００３２】
（砲弾型の発光装置）
　図９に示すように、
この発光装置は、サファイア基板１の上部に積層された半導体層２と、該半導体層２に形成された正負の電極３から延びる導電性ワイヤ１４で導電接続されたリードフレーム１３と、該サファイア基板１と該半導体層２とから構成される発光素子１０の外周を覆うようにリードフレーム１３ａのカップ内に設けられた蛍光体１１とコーティング部材１２と、該蛍光体１１及び該リードフレーム１３の外周面を覆うモールド部材１５と、から構成されている
…
【００５１】
　（コーティング部材１２、１０９）
　蛍光体１１、１０８は、有機材料である樹脂や無機材料であるガラスなど種々のコーティング部材（バインダー）を用いて、付着させることができる。
コーティング部材１２
は、蛍光体１１
を発光素子１０
に固着させるためのバインダーとしての役割を有
蛍光体１１
の分散性を向上
…
【００７２】
　（リードフレーム１３）
　
リードフレーム１３は、マウントリード１３ａとインナーリード１３ｂとから構成され
【００７３】
　マウントリード１３ａは、発光素子１０を配置させるものである。
マウントリード１３ａの上部は、カップ形状になっており、カップ内に発光素子１０をダイボンドし、該発光素子１０の外周面を、カップ内を前記蛍光体１１と前記コーティング部材１２とで覆っている
【００７４】
　インナーリード１３ｂは、マウントリード１３ａ上に配置された発光素子１０の電極３から延びる導電性ワイヤ１４との電気的接続を図るものである。インナーリード１３ｂは、マウントリード１３ａとの電気的接触によるショートを避けるため、マウントリード１３ａから離れた位置に配置することが好ましい。マウントリード１３ａ上に複数の発光素子１０を設けた場合は、各導電性ワイヤ同士が接触しないように配置できる構成にする必要がある。
インナーリード１３ｂは、マウントリード１３ａと同様の材質を用いることが好ましく、鉄、銅、鉄入り銅、金、白金、銀などを用いることができる
…　
【００７６】
　（モールド部材）
　モールド部材１５は、発光素子１０、蛍光体１１、コーティング部材１２、リードフレーム１３及び導電性ワイヤ１４などを外部から保護するために設けられている。モールド部材１５は、外部からの保護目的の他に、視野角を広げたり、発光素子１０からの指向性を緩和したり、発光を収束、拡散させたりする目的も併せ持っている。これらの目的を達成するためモールド部材は、所望の形状にすることができる。また、モールド部材１５は、凸レンズ形状、凹レンズ形状の他、複数積層する構造であっても良い。
モールド部材１５の具体的材料としては、エポキシ樹脂、ユリア樹脂、シリコーン樹脂、シリカゾル、ガラスなどの透光性、耐候性、温度特性に優れた材料を使用することができる
　
イ　「【０１１４】
［実施例３２］
　図１６に、実施例１で用いた
発光ピーク波長が４６０ｎｍの窒化ガリウム系半導体からなる発光素子
モールド部材１５の表面に、蛍光体
を分散させた光透過性樹脂からなるキャップ１６を被せ
【０１１５】
　マウントリード１３ａの上部に、発光素子１０を積載するためのカップが設けられており、該カップのほぼ中央部の底面に該発光素子１０がダイボンドされている。図９に示した実施例１の発光装置では、該カップの上部に発光素子１０を覆うように、蛍光体１１が設けられているが、このキャップタイプの発光装置では、特に設けなくてもよい。該発光素子１０の上部に蛍光体１１を設けないことにより、発光素子１０から発生する熱の影響を直接受けないからである。
【０１１６】
　キャップ１６は、蛍光体を光透過性樹脂に均一に分散させている。この蛍光体を含有する光透過性樹脂を、発光装置のモールド部材１５の形状に嵌合する形状に成形している。または、所定の型枠内に蛍光体を含有する光透過性樹脂を入れた後、発光装置を該型枠内に押し込み、成型する製造方法も可能である。
キャップ１６の光透過性樹脂の具体的材料としては、エポキシ樹脂、ユリア樹脂、シリコーン樹脂などの温度特性、耐候性に優れた透明樹脂、シリカゾル、ガラス、無機バインダーなどが用いられ
キャップ１６に用いる蛍光体は、
（Ｌｕ
０．９９
Ｃｅ
０．０１
）
３
（Ａｌ
０．５
Ｇａ
０．５
）
５
Ｏ
１２
緑色系発光蛍光体と、（Ｙ，Ｇｄ）
３
（Ａｌ，Ｇａ）
５
Ｏ
１２
黄色系発光蛍光体を使用
マウントリード１３ａのカップ内に用いる蛍光体１１は、（Ｃａ，Ｓｒ）
２
Ｓｉ
５
Ｎ
８
：Ｅｕ赤色系発光蛍光体を使用
【０１１７】
　このように構成された発光装置は、
発光素子１０から放出される光の一部は、蛍光体１１を励起し、赤色系に発光
発光素子１０から放出される光の一部がキャップ１６の蛍光体を励起し、緑色系、黄色系に発光
これにより、結果として、キャップ１６の表面からは、白色系の光が外部へ放出される
　
ウ　図９、図１６は、以下のとおりである。
　
（２）引用発明
　刊行物に記載された実施例３２（上記（１）イ及び図１６）に基づいて引用発明を認定する。その際、刊行物には、
「【０１１４】［実施例３２］図１６に、実施例１で用いた発光ピーク波長が４６０ｎｍの窒化ガリウム系半導体からなる発光素子を使用して作製したキャップタイプの発光装置を示す。図１６には、図９の発光装置における部材と同一の部材には同一の符号を付してある。」
との記載があるから、同一の符号が付された部材の説明は、図９の発光装置の説明（上記（１）ア）を参酌する。
　
ア　上記（１）ア、イの記載を踏まえて図１６を見ると、
（ア）リードフレーム１３ａのカップは、発光素子１０、蛍光体１１、コーティング部材１２を収容する空間を有していること、
（イ）キャップ１６は、湾曲部を有するＵ字形状であること、
（ウ）カップが収容する発光素子１０とキャップ１６の間に蛍光体１１、コーティング部材１２が位置し、蛍光体１１とコーティング部材１２は、モールド部材１５を介してキャップ１６と離間していること、
（エ）リードフレーム１３ａのカップ上端部がなす平面（以下「仮想平面」という。）を想定すると、蛍光体１１とコーティング部材１２は、仮想平面の下側または仮想平面内にあること、
（オ）発光素子１０の全体は仮想平面の下側にあること、
（カ）リードフレーム１３ａのカップ上の各位置は、仮想平面の下側又は仮想平面内にあること、
（キ）仮想平面の上に位置するモールド部材１５の外部表面の全体はキャップ１６により完全に覆われ、仮想平面より下方に位置するモールド部材１５の外部表面は、その上部がキャップ１６により覆われ、その下部がキャップ１６により覆われていないこと、
が看取できる。
　
イ　上記（１）ア乃至ウ、および上記アによれば、刊行物には、
「サファイア基板１の上部に積層された半導体層２と、
　該半導体層２に形成された正負の電極３から延びる導電性ワイヤ１４で導電接続されたリードフレーム１３と、
　該サファイア基板１と該半導体層２とから構成される発光素子１０の外周を覆うようにリードフレーム１３ａのカップ内に設けられた蛍光体１１とコーティング部材１２と、
　該蛍光体１１及び該リードフレーム１３の外周面を覆うモールド部材１５と、から構成される発光装置であって、
　コーティング部材１２は、蛍光体１１を分散し、蛍光体１１を発光素子１０に固着させるためのバインダーとしての役割を有し、
　リードフレーム１３は、マウントリード１３ａとインナーリード１３ｂとから構成され、
　マウントリード１３ａの上部は、カップ形状になっており、カップ内に発光素子１０をダイボンドし、該発光素子１０の外周面を、カップ内を前記蛍光体１１と前記コーティング部材１２とで覆っており、
　マウントリード１３ａとインナーリード１３ｂは、鉄、銅、鉄入り銅、金、白金、銀などを用いることができ、
　モールド部材１５の具体的材料としては、エポキシ樹脂、ユリア樹脂、シリコーン樹脂、シリカゾル、ガラスなどの透光性、耐候性、温度特性に優れた材料を使用することができ、
　発光素子１０は、発光ピーク波長が４６０ｎｍの窒化ガリウム系半導体からなり、
　モールド部材１５の表面に、蛍光体を分散させた光透過性樹脂からなるキャップ１６を被せ、
　キャップ１６の光透過性樹脂の具体的材料としては、エポキシ樹脂、ユリア樹脂、シリコーン樹脂などの温度特性、耐候性に優れた透明樹脂、シリカゾル、ガラス、無機バインダーなどが用いられ、
　キャップ１６に用いる蛍光体は、（Ｌｕ０．９９Ｃｅ０．０１）３（Ａｌ０．５Ｇａ０．５）５Ｏ１２緑色系発光蛍光体と、（Ｙ，Ｇｄ）３（Ａｌ，Ｇａ）５Ｏ１２黄色系発光蛍光体を使用し、
　マウントリード１３ａのカップ内に用いる蛍光体１１は、（Ｃａ，Ｓｒ）２Ｓｉ５Ｎ８：Ｅｕ赤色系発光蛍光体を使用し、
　リードフレーム１３ａのカップは、発光素子１０、蛍光体１１、コーティング部材１２を収容する空間を有しており、
　キャップ１６は、湾曲部を有するＵ字形状であり、
　カップが収容する発光素子１０とキャップ１６の間に蛍光体１１、コーティング部材１２が位置し、蛍光体１１とコーティング部材１２は、モールド部材１５を介してキャップ１６と離間しており、
　リードフレーム１３ａのカップ上端部がなす平面（以下「仮想平面」という。）を想定すると、蛍光体１１とコーティング部材１２は、仮想平面の下側または仮想平面内にあり、
　発光素子１０の全体は仮想平面の下側にあり、
　リードフレーム１３ａのカップ上の各位置は、仮想平面の下側又は仮想平面内にあり、
　仮想平面の上に位置するモールド部材１５の外部表面の全体はキャップ１６により完全に覆われ、仮想平面より下方に位置するモールド部材１５の外部表面は、その上部がキャップ１６により覆われ、その下部がキャップ１６により覆われておらず、
　発光素子１０から放出される光の一部は、蛍光体１１を励起して赤色系に発光し、発光素子１０から放出される光の一部がキャップ１６の蛍光体を励起して緑色系、黄色系に発光し、これにより、結果として、キャップ１６の表面からは、白色系の光が外部へ放出される、
　発光装置。」（以下「引用発明」という。）
が記載されている。
　
３　対比
（１）本願発明と引用発明を対比する。
ア　引用発明の「発光装置」は、本願発明の「照明装置」に相当し、引用発明の「発光素子１０」は、本願発明の「第１の固体発光素子」に相当する。
　
イ　本願発明の「少なくとも１つの蛍光体が分散されている少なくとも１つのバインダーを備えている少なくとも１つの第１のルミファー」と、引用発明の「蛍光体１１」と「蛍光体１１を分散し、蛍光体１１を発光素子１０に固着させるためのバインダーとしての役割を有」する「コーティング部材１２」を一体として対比する。
　引用発明の「蛍光体１１」、「コーティング部材１２」は、それぞれ、本願発明の「蛍光体」、「バインダー」に相当する。そして、「蛍光体１１」と「コーティング部材１２」は、一体として、本願発明の「第１のルミファー」に相当する。
　
ウ　引用発明の「蛍光体を分散させた光透過性樹脂からなるキャップ１６」は、本願発明の「第２のルミファー」に相当する。
　
エ　本願発明の「透明性要素」と、引用発明の「エポキシ樹脂、ユリア樹脂、シリコーン樹脂、シリカゾル、ガラスなどの透光性、耐候性、温度特性に優れた材料を使用することができ」る「モールド部材１５」を対比すると、両者は相当関係にある。
オ　本願発明の「反射性カップ」と、引用発明の「カップ」を対比すると、両者は「カップ」の点で一致する。
　
カ　本願発明の「第１の固体発光素子と第２のルミファーとの間に第１のルミファーの少なくとも一部分が存在し、第１及び第２のルミファーは離間して」いることと、引用発明の「カップが収容する発光素子１０とキャップ１６の間に蛍光体１１、コーティング部材１２が位置し、蛍光体１１とコーティング部材１２は、モールド部材１５を介してキャップ１６と離間して」いることを対比する。
　引用発明の「発光素子１０」は本願発明の「第１の固体発光素子」に相当（上記ア参照。）し、引用発明の「蛍光体１１とコーティング部材１２」は一体として本願発明の「第１のルミファー」に相当（上記イ参照。）し、引用発明の「キャップ１６」は本願発明の「第２のルミファー」に相当（上記ウ参照。）する。してみると、両者は相当関係にある。
　
キ　本願発明の「第１の固体発光素子、第１のルミファー、反射性カップは透明性要素の内部にあ」ることと、引用発明の「リードフレーム１３は、マウントリード１３ａとインナーリード１３ｂとから構成され、マウントリード１３ａの上部は、カップ形状になっており、カップ内に発光素子１０をダイボンドし、該発光素子１０の外周面を、カップ内を前記蛍光体１１と前記コーティング部材１２とで覆っており」、「該蛍光体１１及び該リードフレーム１３の外周面」が「モールド部材１５」で覆われていることを対比する。
　引用発明の「発光素子１０」は本願発明の「第１の固体発光素子」に相当（上記ア参照。）し、引用発明の「前記蛍光体１１と前記コーティング部材１２」は一体として本願発明の「第１のルミファー」に相当（上記イ参照。）し、引用発明の「モールド部材１５」は本願発明の「透明性要素」に相当（上記エ参照。）する。また、本願発明の「反射性カップ」と引用発明の「カップ」は、「カップ」の点で一致（上記オ参照。）する。そして、「モールド部材１５」で覆われることは、「モールド部材１５」の内部にあることを踏まえると、両者は、「第１の固体発光素子、第１のルミファー、カップは透明性要素の内部にあ」る点で一致する。
　
ク　本願発明の「反射性カップの周辺端上の各位置は第１の平面内にあ」ることと、引用発明の「リードフレーム１３ａのカップ上端部が」「平面（以下「仮想平面」という。）」をなすことを対比する。
　本願発明の「反射性カップ」と引用発明の「カップ」は、「カップ」の点で一致（上記オ参照。）する。また、引用発明の「平面（以下「仮想平面」という。）」は、本願発明の「第１の平面」に相当する。そして、引用発明のカップ上端部が平面をなすことは、カップの周縁端上の各位置が平面内にあることである。
　してみると、両者は「カップの周辺端上の各位置は第１の平面内にあ」る点で一致する。
　
ケ　本願発明の「反射性カップは空間を画定し、第１の固体発光素子は前記空間内にあ」ることと、引用発明の「リードフレーム１３ａのカップは、発光素子１０、蛍光体１１、コーティング部材１２を収容する空間を有して」いることを対比する。
　本願発明の「反射性カップ」と引用発明の「カップ」は、「カップ」の点で一致（上記オ参照。）する。また、引用発明の「発光素子１０」は、本願発明の「第１の固体発光素子」に相当（上記ア参照。）する。してみると、両者は「カップは空間を画定し、第１の固体発光素子は前記空間内にあ」る点で一致する。　
　
コ　本願発明の「第１の固体発光素子の全体は第１の平面の第１の側にあ」ることと、引用発明の「発光素子１０の全体は仮想平面の下側にあ」ることを対比する。引用発明の「発光素子１０」は、本願発明の「第１の固体発光素子」に相当（上記ア参照。）し、引用発明の「仮想平面」は、本願発明の「第１の平面」に相当（上記ク参照。）することを踏まえると、両者は相当関係にある。
　
サ　本願発明の「反射性カップ上の各位置は第１の平面の第１の側又は第１の平面内にあ」ることと、引用発明の「リードフレーム１３ａのカップ上の各位置は、仮想平面の下側又は仮想平面内にあ」ることを対比する。
　本願発明の「反射性カップ」と引用発明の「カップ」は、「カップ」の点で一致（上記オ参照。）する。そして、引用発明の「仮想平面」は、本願発明の「第１の平面」に相当（上記ク参照。）し、引用発明の「仮想平面の下側」は、本願発明の「第１の平面の第１の側」に相当する。
　してみると、両者は「カップ上の各位置は第１の平面の第１の側又は第１の平面内にあ」る点で一致する。
　
シ　以上によれば、本願発明と引用発明は、
「照明装置であって、
　少なくとも１つの第１の固体発光素子と、
　少なくとも１つの蛍光体が分散されている少なくとも１つのバインダーを備えている少なくとも１つの第１のルミファーと、　
　少なくとも１つの第２のルミファーと、　
　透明性要素と、及び　
　カップと、　
　を備え、　
　第１の固体発光素子と第２のルミファーとの間に第１のルミファーの少なくとも一部分が存在し、第１及び第２のルミファーは離間しており、前記第２のルミファーは湾曲面を有し、第１のルミファー上の各位置は第１の平面の第１の側又は第１の平面内にあり、　
　第１の固体発光素子、第１のルミファー、カップは透明性要素の内部にあり、　
　カップの周辺端上の各位置は第１の平面内にあり、　
　カップは空間を画定し、　
　第１の固体発光素子は前記空間内にあり、　
　第１の固体発光素子の全体は第１の平面の第１の側にあり、　
　カップ上の各位置は第１の平面の第１の側又は第１の平面内にあり、　
　第１の平面の上に位置する透明性要素の外部表面の全体は第２のルミファーにより完全に覆われている照明装置。」　
　の点で一致し、以下の点で相違する。　
　
　相違点１：「カップ」に関し、本願発明では、「反射性カップ」であるのに対し、引用発明では、そのようなものか否か明らかでない点。　
　相違点２：「第２のルミファー」に関し、本願発明では、「第２のルミファー上の各位置は第１の平面の第２の側または第１の平面内にあり」、透明性要素の外部表面の内、「第１の平面の上に位置する透明性要素の外部表面の全体は第２のルミファーにより完全に覆われており、第１平面の第１の側にある前記透明性要素の外部表面のいかなる部分も第２のルミファーにより覆われていない」のに対し、引用発明は、「仮想平面の上に位置するモールド部材１５の外部表面の全体」と、「仮想平面より下方に位置するモールド部材１５の外部表面」「の上部」を覆う点。　
　
　４　判断
　以下、上記相違点について検討する。　
　（１）相違点１について　
　引用発明の「カップ」は、マウントリード１３ａの上部であるところ、マウントリード１３ａの材料として挙げられる鉄、銅、鉄入り銅、金、白金、銀などは、何れも所定の反射率を有する材料である。してみると、そのような材料で形成されたカップは、反射性カップと言える。してみると、相違点１は実質的な相違点ではない。　
　仮に、「反射性カップ」が反射率の高いカップを意味するものと解しても、挙げられている材料の内、金、白金、銀などの反射率が高い材料を用いることに困難性は無い。さらに、リード上端のカップとして反射性のカップを用いることは周知の技術手段であるから、引用発明において前記周知の技術手段を採用し、上記相違点１に係る本願発明の発明特定事項と為すことに困難性は無い。　
　
　（２）相違点２について　
　引用発明は、発光素子１０から放出される発光ピーク波長が４６０ｎｍの青色光と、蛍光体１１で変換して出力する赤色系の光、キャップ１６の蛍光体で変換して出力する緑色系の光と黄色系の光を混合して白色系の光を外部に放射する発光装置である。　
　一般に、ＬＥＤからの光と蛍光体で波長変換した光を混合して所望の色の光を外部に放射する発光装置において、各蛍光体の濃度、膜厚、面積、形成する位置等は、例えば下記ア乃至ウの周知文献（アには蛍光体を形成する位置や面積を、イには蛍光体を集中して分布させる位置を、ウには蛍光体の膜厚や密度（濃度）を変えることが記載されている。）に記載されるように、混合した光の色、蛍光体の使用量、効率等を考慮して、当業者が適宜設定する設計事項である。
　
ア　特開２０００−２２３７４９号公報　
「【００１１】本発明の第１の実施の形態に係る発光ダイオードランプＡは、図１に示すように、ＬＥＤチップ１００と、このＬＥＤチップ１００がボンディングされるリード２００と、前記ＬＥＤチップ１００をモールドする透光性樹脂３００と、この透光性樹脂３００の表面に形成された透光性膜４００とを備えており、前記透光性膜４００は蛍光体５００が混合されたものである。
…
【００１４】…蛍光体５００としては、ＬＥＤチップ１００が
青色ＬＥＤ
白色光を発光させる
…
【００１６】
なお、前記透光性膜４００は、透光性樹脂３００の全面に形成してもよいが、ＬＥＤチップ１００からの光が透過する部分、すなわち前記カップ部２１１より上方にのみ形成してもよい。この場合には、透光性膜４００が少なくなるので、コスト的に有利という利点がある。
　
イ　特開２０００−４９３８９号公報
「【０００７】…、この構造では、発光ダイオードチップ（１）より下方まで蛍光体（７ａ）が樹脂封止体（６）中に含有されるため、発光ダイオードチップ（１）より下方の蛍光体（７ａ）には発光ダイオードチップ（１）の光が当らず、
波長変換に関与しないむだな蛍光体（７ａ）が存在する
「【００１７】発光ダイオードチップ（１）より外側、即ち発光ダイオードチップ（１）の上面よりも樹脂封止体（６）の発光部（６ｂ）側に蛍光体（７ａ）が樹脂封止体（６）内に配合されるため、
樹脂封止体（６）の先端部側に集中して蛍光体（７ａ）が分布する
蛍光体（７ａ）の使用総量を減少する
波長変換された光と波長変換されない光とが混色した光
　
ウ　特開２０００−２２２１６号公報
「【００１０】図１に示す本発明の半導体発光装置では、４３０〜４８０ｎｍ付近に発光ピークを有する
青色発光のＧａＮ系半導体発光素子
白色光に波長変換されて蛍光カバー（１０）の外部に取り出す
…
【００１３】本発明の実施の形態は変更が可能である。前記の例では
蛍光カバー（１０）の厚さは、球面部（１０ｂ）の頂点において最も厚く、円筒状のカバー本体（１０ａ）に近づくに従い次第に薄くなるように構成
蛍光体（７）の粒子密度は円筒状のカバー本体（１０ａ）より球面部（１０ｂ）まで徐々に増加させる
　
　してみると、引用発明おいて、キャップ上の各位置が仮想平面の上側または仮想平面内にあり、仮想平面の下側に無いように為し、上記相違点２に係る本願発明の発明特定事項と為すことに格別の困難性は無い。　
　
　（３）請求人の主張について　
ア　請求人は、審判請求書において、第２のルミファーを製造する為に用いられる材料を節約することができるので、例えば、照明装置の製造コストを削減することができるという格別の作用効果を奏する旨主張する。
　しかしながら、蛍光体の使用量を減らすことは、例えば、上記（２）ア、イの周知文献にも記載されるように、周知の技術事項であり、格別の作用効果とは認められない。
　
イ　また、請求人は、平成２８年６月３０日付けの意見書において、本願発明は、典型的な方法で第１のルミファーから発せられる光の殆どが第１のルミファーに作用することを確保しつつ、できるだけ多くの後方散乱光（例えば、（１）第１の固体発光素子により発せられる光、（２）蛍光材料により覆われる又は覆われていない第１のルミファーを通過する光、（３）第２のルミファーによって変換される光）が、照明装置を出ることを容易にする旨主張する。
　しかしながら、引用発明は、モールド部材１５とキャップ１６の界面で光の一部が後方に反射する光があり、該後方に反射する光の一部はリードフレーム１３とモールド部材１５の間の隙間（刊行物の図１６参照。）に到達するであろうと認められるところ、該後方に反射する光の一部をそのまま出射させるか、あるいは、キャップに分散させた蛍光体で波長変換して出射させるかは、上記（２）に記載したとおり、混合した光の色、蛍光体の使用量、効率等を考慮して、当業者が適宜設定する設計事項であり、請求人が主張する作用効果は、格別のものとは認められない。
　よって、請求人の主張は採用できない。
　　
（４）小括
　したがって、本願発明は、引用発明と周知の技術手段に基づいて当業者が容易に発明をすることができたものと認める。　
　
５　むすび　
　以上のとおり、本願発明は、引用発明と周知の技術手段に基いて当業者が容易に発明をすることができたものであるから、特許法第２９条第２項の規定により特許を受けることができないものである。　
　したがって、他の請求項に係る発明について検討するまでもなく、本願は拒絶されるべきものである。
　よって、上記結論のとおり審決する。